(57)【要約】      （修正有）【課題】主パネルとサブパネルの結合による主パネルの電位変動の影響を減少させたマルチディスプレイ装置を提供する。【解決手段】主要パネル１２上に形成された複数の第１の駆動ライン３１８、サブパネル上に形成された複数の第２の駆動ライン３２２、及び有効な結合モジュール１４２及びダミーの結合モジュール１４４及び１４６を含む結合装置であって、有効な結合モジュール１４２は各第２の駆動ライン３２２と第１の駆動ライン３１８の第１の部分３１２の対応する１つとを電気的に結合し、ダミーの結合モジュール１４４及び１４６は第１の駆動ライン３１８の第２の部分３１４及び３１６に電気的に結合する結合装置１４０を含む。【選択図】図２
2006119637.tif 000002
【特許請求の範囲】
【請求項１】
主要パネル上に形成された複数の第１の駆動ライン、
サブパネル上に形成された複数の第２の駆動ライン、及び
有効な結合モジュール及びダミーの結合モジュールを含む結合装置であって、有効な結合モジュールは各第２の駆動ラインと第１の駆動ラインの第１の部分の対応する１つとを電気的に結合し、ダミーの結合モジュールは第１の駆動ラインの第２の部分に電気的に結合する結合装置
を含むマルチパネルディスプレイの駆動回路。
【請求項２】
有効な結合モジュール及びダミーの結合モジュールは実質的に類似の電位／回路特性を有する要素を含む請求項１に記載の駆動回路。
【請求項３】
有効な結合モジュールが、
第１の駆動ラインに電気的に結合する複数のディマルチプレクサー、
第２の駆動ラインに電気的に結合する複数のマルチプレクサー、及び
各伝達ラインがディマルチプレクサーとマルチプレクサーの対応する１つを電気的に結合する複数の伝達ライン
を含む請求項１に記載の駆動回路。
【請求項４】
ダミーの結合モジュールが第１の駆動ラインに電気的に結合する複数のディマルチプレクサーを含む請求項１に記載の駆動回路。
【請求項５】
結合装置が信号制御セットによって制御される請求項１に記載の駆動回路。
【請求項６】
駆動データを発生するディスプレイドライバー、
駆動データを受信するためのディスプレイドライバーに電気的に結合する複数の第１の駆動ラインを含む主要パネル、
駆動データの少なくとも一部を受信する主要パネルに電気的に結合する複数の第２の駆動ラインを含むサブパネル、及び
有効な結合モジュールとダミーの結合モジュールを含む第１の結合装置であって、有効な結合モジュールは各第２の駆動ラインと第１の駆動ラインの第１の部分の対応する１つとを電気的に結合し、ダミーの結合モジュールは第１の駆動ラインの第２の部分に電気的に結合する第１の結合装置
を含むマルチパネルディスプレイ装置。
【請求項７】
さらに、ディスプレイドライバーと主要パネルの駆動データを伝達するための主要パネルの各第１の駆動ラインを電気的に結合する第２の駆動装置を含むマルチパネルディスプレイ装置。
【請求項８】
請求項６に記載のマルチパネルディスプレイ装置、及びマルチパネルディスプレイが画像を映すのを制御するマルチパネルディスプレイ装置のディスプレイドライバーに結合される入力装置を含む電子装置。
【発明の詳細な説明】
【技術分野】
【０００１】
本発明は、ディスプレイ装置の駆動回路に関するものである。特に、本発明は、マルチパネルディスプレイ用駆動回路、マルチパネルディスプレイ装置及びこれを用いた電子装置に関する。
【背景技術】
【０００２】
低電力消費、低電位及び軽量を含む高解像度カラーディスプレイの特性によって、液晶ディスプレイ（ＬＣＤ）はディスプレイ装置技術における先端ディスプレイ技術となっている。ＬＣＤは、ここ数年の間に、例えば、パーソナルデジタルアシスタント（ＰＤＡ）、ポータブルコンピュータ、携帯電話などのような携帯情報ディスプレイとして使用されてきた。
【０００３】
最近、製造技術の利点及びデータ折りたたみ状態の表と裏に表示する要望を取り込み、折りたたみ式携帯電話が発展してきた。従来の折りたたみ式タイプの携帯電話は、２重ディスプレイを達成するために背面が互いに接触する２つの別々のＬＣＤを利用していた。しかしながら、従来のディスプレイ装置が２つの別々のディスプレイを使用するため、ＬＣＤを駆動するための２組の電子装置が必要とされる。したがって、ディスプレイ装置はサイズ及び重量が増加し、製造コストも増加する。
【０００４】
大きさ及び重量増加の問題を解決するために、駆動ラインのいくつかは２つのパネルで共有される。図３Ａを参照すると、主要パネルの主要ディスプレイ領域４００及びサブパネルのサブディスプレイ領域４２０は領域４０２において駆動ラインを共有する。しかしながら、図３Ａに示されるように、２つのパネルは大きさが異なるとき、有効な結合モジュール４１０だけが主要ディスプレイ領域４００とサブディスプレイ領域４２０の間に使用される。主要ディスプレイ領域は中間部４０２及び２つの側面部４０４、４０６を含み、有効な結合モジュール４１０に電気的に結合される中間部４０２の幅はサブディスプレイ領域４２０の幅に対応する。したがって、全てのデータが同じ入力を有するという状況下では、回路／電位特性は領域４０２、４０４及び４０６で大きく異なるので、各画素を駆動する電位は図３Ｂに示されるように変わる。例えば、同じ電位を有する信号（例えば、同じ色、白、例えば）は全ての領域４０２、４０４及び４０６に入力されるので、信号が２つのディスプレイ領域４００及び４２０に伝達された後、異なる電位が主要パネル４００全域の画素に発生する。この状況は、有効結合モジュール４１０に使用されるマルチプレクサー又はディマルチプレクサーを経て信号が伝わるとき信号が減少したり増加したりするために生じる。しかしながら、異なる電位の変化（増加又は減少）は画面に点滅をもたらす。
【発明の開示】
【発明が解決しようとする課題】
【０００５】
したがって、本発明は、主要パネルとサブパネルの結合による主要パネル全域で異なる回路特性の影響を補償する電子装置、マルチパネルディスプレイ装置及びマルチパネルディスプレイ用駆動回路を提供する。本発明によれば、主要パネルとサブパネルの結合による主要パネル全域で電位の変動への影響を減少することができる。
【課題を解決するための手段】
【０００６】
本発明の１つの側面は、マルチパネルディスプレイの駆動回路を提供することにある。駆動回路は主要パネル上に形成された複数の第１駆動ライン、サブパネル及び結合装置に形成された複数の第２駆動ラインを含む。結合装置は有効な結合モジュールとダミーの結合モジュールを含む。有効な結合モジュールは、各第２の駆動ラインと第１の駆動ラインの第１の部分の対応する１つと電気的に結合され、ダミーの結合モジュールは第１の駆動ラインの第２の部分に電気的に結合される。
【０００７】
本発明の他の側面はマルチパネルディスプレイ装置を提供することにある、マルチパネルディスプレイ装置は、ディスプレイドライバー、主要パネル、サブパネル及び結合装置を含む。ディスプレイドライバーは、主要パネル及び／又はサブパネル上に表示される駆動データを発生させる。主要パネルは、駆動データを受信するディスプレイドライバーに電気的に結合される複数の第１の駆動ラインを含み、サブパネルは少なくとも一部の駆動データを受信する主要パネルに電気的に結合される複数の第２の駆動ラインを含む。結合装置は、有効な結合モジュールとダミーの結合モジュールを含む。有効な結合モジュールは各第２の駆動ラインと第１の駆動ラインの第１の部分の対応する１つとを電気的に結合し、ダミーの結合モジュールは、第１の駆動ラインの第２の部分に電気的に結合される。
【０００８】
本発明の他の側面は、電子装置を提供することにある。電子装置は上記のマルチパネルディスプレイ装置及び入力装置を含み、入力装置はマルチパネルディスプレイ装置が画像を映すのを制御するためのマルチパネルディスプレイ装置のディスプレイドライバーに結合される。
【０００９】
したがって、本発明は、駆動データを主要パネルに伝達する駆動ラインの一部を使用することによって駆動データをサブパネルに伝達する。さらに、駆動データをサブパネルに伝達しない駆動ラインは、有効な結合モジュールの要素と同じ構造を有する要素を有するダミーの結合モジュールに結合される。したがって、駆動ラインの駆動特性は主要パネルになされる補償が簡単に設計されるように近いものである。
【発明を実施するための最良の形態】
【００１０】
次の一般的な記述とそれに続く詳細な記述は例示であり、特許請求の範囲により請求される本発明の説明を提供することを意図するものである。
【００１１】
本発明の実施態様について、実施例を参照して説明する。可能な限り、同じ引用番号は、同じ又は同様の部分を引用する図面及び記述において使用される。
【００１２】
本発明の１実施例の電子装置のブロック図を示す図１を参照すると、電子装置１０は入力装置１００及び２重ディスプレイ装置２０を含む。電子装置１０はＰＤＡ、ノートブックコンピュータ、タブレットコンピュータ、携帯電話等であり得る。２重パネルディスプレイ装置２０はディスプレイドライバー１１０と主要パネル１２の主要ディスプレイ領域１２０を含む２重ディスプレイ３０、サブパネル１３のサブディスプレイ領域１３０及び結合装置１４０を含む２重パネルディスプレイ３０を含む。入力装置１００はディスプレイドライバー１１０に結合されることができ、ディスプレイ１１０が画像を写すために駆動データを入力するプロセッサー又はそれに類するものを含むことができる。ディスプレイドライバー１１０は、入力に応じて画像を映す主要パネル１２に駆動データを出力する。少なくとも一部の駆動データは主要パネルから結合装置１４０の有効結合モジュールを経てサブパネルに伝達される。
【００１３】
さらに、結合装置１４０は、有効な結合モジュール１４２とダミーの結合モジュール１４４及び１４６を含む。有効な結合モジュール１４２（結合装置１４０の斜線部）はサブパネル１３と主要パネル１２を電気的に結合し、少なくとも上記の駆動データの少なくとも一部を主要パネルからサブパネル１３に伝達する。ダミーの結合モジュール１４４と１４６は、容量のような回路特性を供給するために主要パネルに電気的に結合し、有効結合モジュール１４２によって供給されるものに近接する。したがって、主要パネルとサブパネルの結合によって主要パネル全域での異なった特性の影響は補償される。本発明によれば、主要パネルとサブパネル結合による主要パネル全域の電位の変動の影響は減少する。
【００１４】
本発明の１つの実施例のマルチパネルディスプレイ用駆動回路を示す図２を参照すると、マルチパネルディスプレイ３０の駆動回路は、主要パネル１２上に形成された複数の第１の駆動ライン３１８、サブパネル１３上に形成された複数の第２の駆動ライン３２２及び結合装置１４０を含む。結合装置１４０は有効な結合モジュール１４２及びダミーの結合モジュール１４４及び１４６を含む。有効な結合モジュール１４２は、各第２の駆動ライン３２２と第１の駆動ライン３１８の中間部３１２の対応する１つを電気的に結合し、ダミーの結合モジュール１４４と１４６は第１の駆動ライン３１８の側部３１４及び３１６に電気的に結合する。
【００１５】
図２に示されるように、同じ有効な回路／電位特性を有するディマルチプレクサー３３２０、３３４０及び３３６４はダミーの結合モジュール１４４、１４６及び有効な結合モジュール１４２にそれぞれ使用される。有効な結合モジュール１４２は、さらに第２の駆動ライン３２２に結合するための複数のマルチプレクサー３３６０並びにディマルチプレクサー３３６４とマルチプレクサー３３６０を結合するための複数の伝達ライン３３６２を含む。
【００１６】
ディスプレイドライバー１１０からの駆動データは（図１に示されるように）、実施例における複数のマルチプレクサーを含む結合装置３４０を経て第１の駆動ラインに入力される。信号制御セット３９は、第１の駆動ライン３１８のどの中間部３１２が駆動データを受信するかを選択するための結合装置１４０を制御するためにディスプレイドライバー１１０から制御信号を供給する。同じ構造によって、信号制御セット３９は、駆動データの対応する部分を第２の駆動ライン３２２に伝達するためにディマルチプレクサー３３６４及びマルチプレクサー３３６０のような有効な結合モジュール１４２におけるディマルチプレクサー及びマルチプレクサー３３６０を制御することができる。さらに、ディマルチプレクサー３３２０及び３３４０のようなダミーの結合モジュール１４４及び１４６におけるディマルチプレクサーは、有効な結合モジュール３３６に電気的に結合する第１の駆動ライン３１８の中間部３１２の回路特性に近接して、ダミーの結合モジュール１４４及び１４６に電気的に接続する第１の駆動ラインの側部３１４、３１６の回路／電位特性を供給するために信号制御セット３９によって制御される。
【００１７】
このように、本発明は、主要パネルとサブパネルの結合による主要パネルを全域での異なる回路特性の影響を補償する。本発明によれば、主要パネル全域の電圧の変化に対する主要パネルとサブパネルの結合の影響は減少させることができ、したがって、ディスプレイの品質は改良され得る。
【００１８】
本発明の範囲及び精神を逸脱しない限り、本発明の構造に関する様々な改良や変形が当業者にとって自明であろう。上記の記述によって、本発明は特許請求の範囲及びその均等の範囲に属する本発明の改良及び変形を含むことが意図されている。
【図面の簡単な説明】
【００１９】
【図１】本発明の１つの実施例の電子装置のブロック図を示す。
【図２】本発明の１つの実施例のマルチパネルディスプレイ用駆動回路のブロック図である。
【図３Ａ】固定された駆動データ入力の画素電圧とデータラインの関係を示す。
【図３Ｂ】固定された駆動データ入力の画素電圧とデータラインの関係を示す。
【符号の説明】
【００２０】
１０      電子装置
１００    入力装置
１１０    ディスプレイドライバー
１２      主要パネル
１２０    主要ディスプレイ領域
１３      サブパネル
１３０    サブディスプレイ領域
１４０    結合装置
１４２    有効結合モジュール
１４４    ダミーの結合モジュール
１４６    ダミーの結合モジュール
３０      マルチパネルディスプレイ
３１２    中間部分
３１４    側部
３１６    側部
３１８    第１の駆動ライン
３２２    第２の駆動ライン
３３２０  ディマルチプレクサー
３３４０  ディマルチプレクサー
３３６０  マルチプレクサー
３３６２  伝達ライン
３３６４  ディマルチプレクサー
【図１】
2006119637.tif 000003
【図２】
2006119637.tif 000004
【図３Ａ】
2006119637.tif 000005
【図３Ｂ】
2006119637.tif 000006
【外国語明細書】
2006119637000001.pdf
2006119637000002.pdf
2006119637000003.pdf
2006119637000004.pdf